(57)【要約】【課題】建築物の間取りに合わせ、プレキャストコンクリート基礎ブロックの形状を簡単に変更して製造できる型枠装置を提供する。【解決手段】プレキャストコンクリート基礎ブロックの型枠装置１を、仕切り板３を有し、この仕切り板３の一方面側及び他方面側に型枠体５、５を備えるように構成する。それぞれの型枠体５を、仕切り板３に固定した固定底面部材７と、固定底面部材７と直交する方向に延び、固定底面部材７に沿って移動できるような移動底面部材１１と、固定底面部材７及び移動底面部材１１に、取外し可能に取り付けた側壁体１３と、から構成する。側壁体１３を取り外し、移動底面部材１１を動かし、再び側壁体１３を取り付けて、型枠体５の形状を変更する。【選択図】　図１
2004017645.tif 000002
【特許請求の範囲】
【請求項１】
コンクリートを流し込んで硬化させることにより、プレキャストコンクリート基礎ブロックを製造する、プレキャストコンクリート基礎ブロックの型枠装置であって、
底面部と、この底面部とで型枠を構成するように配置された側壁部と、を備え、
前記底面部は、所定の形状に形成された固定底面部と、基端部が前記固定底面部に接触し、かつ、前記固定底面部と交わる方向に延びている移動底面部と、を有し、
前記移動底面部は、前記固定底面部に沿って移動でき、かつ、少なくとも所定の位置で固定可能に構成されていて、
前記側壁部は、前記固定底面部に沿って移動して固定された前記移動底面部及び前記固定底面部により形成される型枠底面の外縁に沿って又はほぼ沿って変更配置可能に構成されている、ことを特徴とするプレキャストコンクリート基礎ブロックの型枠装置。
【請求項２】
コンクリートを流し込んで硬化させることにより、プレキャストコンクリート基礎ブロックを製造する、プレキャストコンクリート基礎ブロックの型枠装置であって、
仕切り板と、この仕切り板の一方側及び他方側にそれぞれ設けられた底面部と、それぞれの前記底面部及び前記仕切り板とで型枠を構成するように配置された側壁部と、を備え、
それぞれの前記底面部は、所定の形状に形成され、前記仕切り板に取り付けられた固定底面部と、基端部が前記固定底面部の、前記仕切り板と反対側に接触し、かつ、前記固定底面部と交わる方向に延びている移動底面部と、を有し、
前記側壁部は、前記固定底面部に沿って移動して固定された前記移動底面部及び前記固定底面部により形成される型枠底面の外縁に沿って又はほぼ沿って変更配置可能に構成されている、ことを特徴とするプレキャストコンクリート基礎ブロックの型枠装置。
【請求項３】
前記移動底面部は、ガイド部材によって支持されていて、前記基端部が前記固定底面部に接触した状態で、前記ガイド部材上を前記固定底面部に沿ってスライド移動できるように構成されている、ことを特徴とする請求項１又は２記載のプレキャストコンクリート基礎ブロックの型枠装置。
【請求項４】
前記固定底面部の、前記移動底面部が設けられた移動底面側には、少なくとも前記移動底面部が移動する範囲内に、前記側壁部を構成する壁体が取外し可能に配置されていて、
前記壁体を取り外し、前記移動底面部を前記固定底面部に沿って移動させてから、取り外した前記壁体又は別の壁体を、前記固定底面部の移動底面側に配置して前記側壁部を形成できるように構成されている、ことを特徴とする請求項１、２又は３記載のプレキャストコンクリート基礎ブロックの型枠装置。
【請求項５】
前記底面部には、固定用貫通孔が形成され、
前記固定用貫通孔には、プレキャストコンクリート基礎ブロックに埋め込まれるアンカーボルトを通過させて位置決めするアンカーボルト孔が形成された位置決め部材が嵌め付けられていて、
前記位置決め部材は、前記底面部に沿って回転させて前記アンカーボルト孔の位置が変化した状態でも、前記固定用貫通孔に嵌め付けることができるように構成されている、ことを特徴とする請求項１、２、３又は４記載のプレキャストコンクリート基礎ブロックの型枠装置。
【請求項６】
前記位置決め部材は、角形状プレート片であり、前記固定用貫通孔は、前記角形状プレート片に対応した角形状貫通孔である、ことを特徴とする請求項５記載のプレキャストコンクリート基礎ブロックの型枠装置。
【請求項７】
建築物基礎構造に用いられるプレキャストコンクリート基礎ブロックであって、
所定の形状に成形されたプレキャストコンクリート体と、前記プレキャストコンクリート体に埋め込まれ、かつ、このプレキャストコンクリート体の上面から突出したアンカーボルトと、前記プレキャストコンクリート体に埋め込まれ、かつ、このプレキャストコンクリート体の下面から露出又は突出している複数のナット部材と、頭部にジョイント部を有し、前記ナット部材にねじ込まれて取り付けられている高さ調整用のアジャストボルトと、を有し、
前記アジャストボルトの前記ジョイント部を、捨コンクリート上に固定された土台板の嵌付け孔又は嵌付け溝に嵌め付けることにより、建築物基礎構造として配置される、ことを特徴とするプレキャストコンクリート基礎ブロック。
【請求項８】
地盤を掘削する根切り工程と、掘削した部分に石や砂利を入れて付き固める地業工程と、付固め部分に捨コンクリートを打設する打設工程と、前記打設工程の後に、プレキャストコンクリート基礎ブロックを配置する配置工程と、前記プレキャストコンクリート基礎ブロックの下部が埋め込まれるように再びコンクリートを打設する逆打ち工程と、を有するプレキャストコンクリート基礎ブロックを用いた基礎工法であって、
前記プレキャストコンクリート基礎ブロックは、所定の形状に成形されたプレキャストコンクリート体と、前記プレキャストコンクリート体に埋め込まれ、かつ、このプレキャストコンクリート体の上面から突出したアンカーボルトと、前記プレキャストコンクリート体に埋め込まれ、かつ、このプレキャストコンクリート体の下面から露出又は突出している複数のナット部材と、頭部にジョイント部を有し、前記ナット部材にねじ込まれて取り付けられている高さ調整用のアジャストボルトと、を有していて、
嵌付け孔又は嵌付け溝が形成された土台板を、打設された前記捨コンクリート上に固定し、前記アジャストボルトの前記ジョイント部が、前記土台板の前記嵌付け孔又は前記嵌付け溝に嵌まり込むように前記プレキャストコンクリート基礎ブロックを配置してから、前記アジャストボルトの前記ナット部材へのねじ込み量を調整し、その後、前記逆打ち工程を行う、ことを特徴とするプレキャストコンクリート基礎ブロックを用いた基礎工法。
【発明の詳細な説明】
【０００１】
【発明の属する技術分野】
本発明は、住宅等の建築物基礎に用いられるプレキャストコンクリート基礎ブロックを製造するための型枠装置、この型枠装置を用いて製造されたプレキャストコンクリート基礎ブロック及びこのプレキャストコンクリート基礎ブロックを用いた基礎工法に関する。
【０００２】
【従来の技術】
強度の高い建築物を建てるために極めて重要な基礎構造は、従来、多くの工程を経て造り上げられている。まず、地盤を掘削して石や砂利を入れて付き固め、その上に捨コンクリートと呼ばれるコンクリートを打設し、養生して硬化させる。その後、捨コンクリート上に型枠を組み、この型枠内に鉄筋を配筋して、ベースコンクリートと呼ばれるコンクリートを打設する。それを養生して硬化させた後、型枠を取り外し、今度はベースコンクリート上に型枠を組み、立ち上がりコンクリートと呼ばれるコンクリートを打設して、上面から突出するようにアンカーボルトを埋設固定する。
【０００３】
基礎構造は、このように複数回に分けてコンクリートを打設する施工方法によって高い強度を有するようになるが、この施工方法は、下地となるコンクリートが固まらないと次のコンクリートを打設できないことから、施工期間が長期にわたるといった問題点を有している。そこで、ベースコンクリート部分あるいは立ち上がりコンクリート部分を、所定の型枠を用いて予め工場等でプレキャストコンクリート基礎ブロックとして製造しておき、これを運搬して現場で据え付ける方法が多く用いられるようになっている。プレキャストコンクリート基礎ブロックとしては、例えば、Ｉ字型、Ｌ字型、Ｔ字型又は十字型等、数種類のものを製造しておけば、これらを組み合わせることで、様々な間取りに対応できる。このような方法によって、現場での型枠の組付け、解体作業の手間を省くことができ、しかも、ベースコンクリート及び立ち上がりコンクリートを養生して硬化させる必要もなくなることから、施工期間を大幅に短縮させることが可能となる。
【０００４】
【発明が解決しようとする課題】
しかしながら、例えば、土地の形状等の関係から、建築物の間取りが複雑な構成になると、Ｉ字型、Ｌ字型、Ｔ字型又は十字型等、所定の形状に製造されたプレキャストコンクリート基礎ブロックの組合せでは対応できないおそれがあり、また、対応できたとしても、プレキャストコンクリート基礎ブロックの使用個数が多くなってしまい、すなわち、プレキャストコンクリート基礎ブロック同士の接続箇所数が多くなってしまい、強度に問題が残る可能性がある。さらに、プレキャストコンクリート基礎ブロックの使用個数が多くなれば、プレキャストコンクリート基礎ブロックそれぞれの上面の高さ位置を合わせるのも困難になるため、施工時間の短縮という効果を期待できなくなってしまう。
【０００５】
そこで本発明は、建築物の間取りに合わせ、プレキャストコンクリート基礎ブロックの形状を簡単に変更して製造できる型枠装置の提供を目的とする。また、本発明は、このような型枠装置を用いて製造されるプレキャストコンクリート基礎ブロック及びこのプレキャストコンクリート基礎ブロックを用いた基礎工法の提供を目的とする。
【０００６】
【課題を解決するための手段】
この目的を達成するための本発明のプレキャストコンクリート基礎ブロックの型枠装置は、コンクリートを流し込んで硬化させることにより、プレキャストコンクリート基礎ブロックを製造する、プレキャストコンクリート基礎ブロックの型枠装置であって、底面部と、この底面部とで型枠を構成するように配置された側壁部と、を備え、前記底面部は、所定の形状に形成された固定底面部と、基端部が前記固定底面部に接触し、かつ、前記固定底面部と交わる方向に延びている移動底面部と、を有し、前記移動底面部は、前記固定底面部に沿って移動でき、かつ、少なくとも所定の位置で固定可能に構成されていて、前記側壁部は、前記固定底面部に沿って移動して固定された前記移動底面部及び前記固定底面部により形成される型枠底面の外縁に沿って又はほぼ沿って変更配置可能に構成されているものである。このような構成により、移動底面部を移動させて型枠の形状を変更できるので、１つの型枠装置で様々な形状のプレキャストコンクリート基礎ブロックを製造することが可能となる。したがって、本発明の型枠装置を用いることにより、複雑な間取りにも対応でき、かつ、一戸当りのプレキャストコンクリート基礎ブロックの使用個数も少なく抑えられるので、間取りが複雑な場合に基礎構造の強度が落ちてしまうといったことがない。固定底面部は、例えば、Ｉ字型、Ｌ字型、Ｔ字型又は十字型等の形状とすることができ、移動底面部は、固定底面部と例えば直交した状態で接触移動するものである。移動底面部を適当な位置に位置決め固定するための固定手段は、移動底面部を任意の位置で固定できるように構成されていることが望ましいが、例えば、固定底面部の、移動底面部が設けられている移動底面側の一辺に対応する側壁部を、複数枚の壁体で構成し、壁体一枚当たりの長さとほぼ等しいピッチで移動底面部を固定できるように構成したものでもよい。側壁部を変更又は変形配置する場合には、配置されている又は配置されていた側壁部と別の側壁部を用いる場合もある。
【０００７】
また、本発明のプレキャストコンクリート基礎ブロックの型枠装置は、コンクリートを流し込んで硬化させることにより、プレキャストコンクリート基礎ブロックを製造する、プレキャストコンクリート基礎ブロックの型枠装置であって、仕切り板と、この仕切り板の一方側及び他方側にそれぞれ設けられた底面部と、それぞれの前記底面部及び前記仕切り板とで型枠を構成するように配置された側壁部と、を備え、それぞれの前記底面部は、所定の形状に形成され、前記仕切り板に取り付けられた固定底面部と、基端部が前記固定底面部の、前記仕切り板と反対側に接触し、かつ、前記固定底面部と交わる方向に延びている移動底面部と、を有し、前記側壁部は、前記固定底面部に沿って移動して固定された前記移動底面部及び前記固定底面部により形成される型枠底面の外縁に沿って又はほぼ沿って変更配置可能に構成されているものとすることもできる。このような構成により、２つ又は複数の型枠が連結されている構造になるため、２つ又は複数のプレキャストコンクリート基礎ブロックを同時に製造することができる。また通常、Ｌ字コーナーやＴ字コーナーを有して屈曲部が設けられたプレキャストコンクリート基礎ブロックを製造する場合、コンクリート充填時に型枠に作用するコンクリートの側圧は、コーナーの外側が大きいため、型枠もコーナーの外側に向かって変形しやすい状態になる。したがって、共通の仕切り板の両側に直接型枠を構成すれば、型枠が変形し、プレキャストコンクリート基礎ブロックの不良品が製造されしまうことを防止できるといった効果も得られる。
【０００８】
移動底面部を移動させる手段として、移動底面部の下側にガイド部材を設けて移動底面部を支持するといったものを用いれば、移動底面部がこのガイド部材上を、基端部が固定底面部に接触した状態で、かつ、固定底面部に沿ってスムーズにスライドでき、しかも、移動底面部をガイド部材上に複数設置するといった構成を用いることもできるので、１つの型枠で製造可能なプレキャストコンクリート基礎ブロックの形状が、より多種類になる。
【０００９】
ところで、基礎構造の上面には支持台又は支持柱を固定するためのアンカーボルトが立設されるが、通常、アンカーボルトは、支持台又は支持柱の幅方向中央又はほぼ中央に位置するように立設される。しかしながら、支持台又は支持柱の太さは、建物の間取りや階数等によって異なり、支持台又は支持柱の太さが変わればアンカーボルトの立設位置も変化させる必要がある。そこで、底面部に固定用貫通孔を形成し、この固定用貫通孔に、プレキャストコンクリート基礎ブロックに埋め込まれるアンカーボルトを通過させて位置決めするアンカーボルト孔が形成された位置決め部材を嵌め付け、この位置決め部材を、底面部に沿って回転させてアンカーボルト孔の位置が変化した状態でも、固定用貫通孔に嵌め付けることができるように構成することが好ましい。このような構成によって、アンカーボルト孔の位置を底面部に対して相対的に変位させることができるので、アンカーボルトを埋め込む位置すなわちアンカーボルトの立設位置を簡単に変更することができる。アンカーボルト孔は、例えば位置決め部材を１８０度回転させたときに、底面部の幅方向に変位することとなるように、位置決め部材に形成しておけば、アンカーボルトの立設位置を底面部の幅方向すなわちプレキャストコンクリート基礎ブロックの幅方向に変更できるので、支持台又は支持柱の太さの変更にも対応できる。また、アンカーボルト孔が形成された位置決め部材を底面部に嵌め付けるように構成することにより、プレキャストコンクリート基礎ブロックが上下反対に製造されることとなるが、プレキャストコンクリート基礎ブロックの上面は、底面部によって、確実に平滑な仕上がりとなる。
【００１０】
位置決め部材を、角形状プレート片として形成し、固定用貫通孔を、角形状プレート片が嵌まり込む角形状貫通孔として底面部に形成すれば、アンカーボルト孔の位置を容易に変更することができる。角形状プレート片は、例えば正多角形状に形成することができ、アンカーボルト孔を角形状プレート片の中心又は重心から偏心した位置に形成すればよい。正多角形の角部が多いほど、アンカーボルト立設位置変更の自由度が高くなる。また、位置決め部材は、完全な円形でなければ、例えば楕円などの曲線を有する形状に形成してもよい。
【００１１】
また、本発明のプレキャストコンクリート基礎ブロックは、建築物基礎構造に用いられるプレキャストコンクリート基礎ブロックであって、所定の形状に成形されたプレキャストコンクリート体と、前記プレキャストコンクリート体に埋め込まれ、かつ、このプレキャストコンクリート体の上面から突出したアンカーボルトと、前記プレキャストコンクリート体に埋め込まれ、かつ、このプレキャストコンクリート体の下面から露出又は突出している複数のナット部材と、頭部にジョイント部を有し、前記ナット部材にねじ込まれて取り付けられている高さ調整用のアジャストボルトと、を有し、前記アジャストボルトの前記ジョイント部を、捨コンクリート上に固定された土台板の嵌付け孔又は嵌付け溝に嵌め付けることにより、建築物基礎構造として配置されるものである。アジャストボルトのジョイント部を土台板の嵌付け孔又は嵌付け溝に嵌め付けても、アジャストボルトは回転可能なように構成されている。また、ナット部材は、プレキャストコンクリート体の重量による変形や破損がないように十分な強度及び剛性を有するものであり、少なくとも、プレキャストコンクリート体の長さ方向端部に埋設固定されていればよい。このような構成により、ナット部材にねじ込まれて取り付けられているアジャストボルトを回すだけで、プレキャストコンクリート基礎ブロックの高さ及び水平を容易に調整できる。
【００１２】
さらに、本発明のプレキャストコンクリート基礎ブロックを用いた基礎工法は、地盤を掘削する根切り工程と、掘削した部分に石や砂利を入れて付き固める地業工程と、付固め部分に捨コンクリートを打設する打設工程と、前記打設工程の後に、プレキャストコンクリート基礎ブロックを配置する配置工程と、前記プレキャストコンクリート基礎ブロックの下部が埋め込まれるように再びコンクリートを打設する逆打ち工程と、を有するプレキャストコンクリート基礎ブロックを用いた基礎工法であって、前記プレキャストコンクリート基礎ブロックは、所定の形状に成形されたプレキャストコンクリート体と、前記プレキャストコンクリート体に埋め込まれ、かつ、このプレキャストコンクリート体の上面から突出したアンカーボルトと、前記プレキャストコンクリート体に埋め込まれ、かつ、このプレキャストコンクリート体の下面から露出又は突出している複数のナット部材と、頭部にジョイント部を有し、前記ナット部材にねじ込まれて取り付けられている高さ調整用のアジャストボルトと、を有していて、嵌付け孔又は嵌付け溝が形成された土台板を、打設された前記捨コンクリート上に固定し、前記アジャストボルトの前記ジョイント部が、前記土台板の前記嵌付け孔又は前記嵌付け溝に嵌まり込むように前記プレキャストコンクリート基礎ブロックを配置してから、前記アジャストボルトの前記ナット部材へのねじ込み量を調整し、例えば前記プレキャストコンクリート基礎ブロックを水平状態とした後に、前記逆打ち工程を行うものである。このような構成により、捨コンクリートを打設後に、プレキャストコンクリート基礎ブロックの脚部の役割を果たすコンクリート（ベースコンクリート）の打設を行うことなくプレキャストコンクリート基礎ブロックを配置できる。また、プレキャストコンクリート基礎ブロックの高さ及び水平位置の調整が容易になるため、それぞれのプレキャストコンクリート基礎ブロックの上面の高さを合わせるのに手間取ってしまうといったおそれがない。したがって、工期の短縮化につながる。また、逆打ち工程を行う前には、基礎構造の強度を高めるため、通常はプレキャストコンクリート基礎ブロックの下部に、鉄筋の組み付けが行われるが、例えば、鉄筋をプレキャストコンクリート基礎ブロックから突出するように埋設固定しておき、この鉄筋を、逆打ち工程前に配置する鉄筋に組み付けるといった構成にしてもよい。組み付けられた鉄筋は逆打ちされたコンクリートによって一体化される。
【００１３】
【発明の実施の形態】
以下、本発明の実施の形態を図面を参照して説明する。
【００１４】
図１は本発明に係るプレキャストコンクリート基礎ブロックの型枠装置を示す斜視図、図２は本発明に係るプレキャストコンクリート基礎ブロックの型枠装置を示す正面図である。
【００１５】
プレキャストコンクリート基礎ブロックの型枠装置１は、仕切り板３を有し、この仕切り板３の一方面側及び他方面側に構成された型枠体（型枠装置）５、５を備えていて、それぞれの型枠体５は、仕切り板３の下端部に固定された固定底面部材７と、この固定底面部材７の長さ方向一端部付近から他端部付近まで延びるように、固定底面部材７と幅方向に間隔を設けて平行に配置された、固定底面部材７とほぼ等しい長さを有するガイド部材９と、固定底面部材７と直交する方向に延び、ガイド部材９上をスライドして固定底面部材７に沿って移動できるように取り付けられた移動底面部材１１と、固定底面部材７及び移動底面部材１１に、取外し可能に取り付けられた側壁体１３（側壁部：図１では手前側の型枠体５には側壁体１３は取り付けられていないが図２では取り付けられている）と、一方のガイド部材９から他方のガイド部材９まで延び、ガイド部材９、９及び固定底面部材７、７を支える複数の支持部材１４と、から構成されていて、固定底面部材７、移動底面部材１１及び側壁体１３・仕切り板３（側壁部）とで、プレキャストコンクリート基礎ブロックの型枠を形成している。
【００１６】
それぞれの固定底面部材７は、ほぼ５９６０ｍｍの長さ及びほぼ１５０ｍｍの幅を有していて、開口側が仕切り板３と反対側を向くように、ボルト及びナットを用いて仕切り板３に固定された断面コ字状の固定本体１５と、この固定本体１５の上側プレート部１７上面に溶接して固定された固定底面プレート１９と、から構成され、固定本体１５の上側プレート部１７及び固定底面プレート１９は固定底面部を形成している。
【００１７】
それぞれの移動底面部材１１は、ほぼ１３６５ｍｍの長さ及びほぼ１５０ｍｍの幅を有していて、開口側が固定本体１５の延びる方向に向くように、かつ、固定本体１５の延びる方向と直交する方向に延びるように、ガイド部材９上に載せられた断面コ字状の移動本体２１と、この移動本体２１の上側プレート部２３に溶接して固定された移動底面プレート２５と、ボルト及びナットを用いて移動本体２１の下側プレート部２７下面に取り付けられたスライド部材２９と、から構成されていて、移動本体２１の上側プレート部２３及び移動底面プレート２５は移動底面部を形成している。移動底面プレート２５の基端部３１は、移動本体２１から突出し、かつ、固定底面プレート１９側に向かって漸次幅広となる台形状に形成されている。スライド部材２９は、断面長いコ字状に形成され、側部３３、３３の内側面の間隔がガイド部材９の幅とほぼ等しいように構成されていて、このスライド部材２９が、ガイド部材９の両側に形成されているレール３５、３５を挟み、かつ、このレール３５、３５上にスライド可能に載るように、移動底面部材１１は、ガイド部材９に取り付けられている。移動本体２１の高さは、固定本体１５の高さのほぼ半分に設定されていて、移動底面部材１１をガイド部材９に取り付けたときには、移動底面プレート２５は、固定底面プレート１９と同一の高さに位置し、かつ、基端部３１の、固定底面プレート１９側の側端面が固定底面プレート１９の側端面と接触した状態（僅かな隙間が生じている場合を含む）となる。移動底面部材１１は、それぞれのガイド部材９に複数取り付けることができる。
【００１８】
スライド部材２９のそれぞれの側部３３にはボルト孔３７が形成され、ガイド部材９のそれぞれのレール３５の側面部３９にもボルト用孔４１が形成されていて、ボルト孔用４１はレール３５の側面部３９の延びる方向に沿って、約４５５ｍｍのピッチで複数形成されている。したがって、移動底面部材１１をガイド部材９に沿ってスライド移動させ、ボルト孔３７とボルト用孔４１との位置を一致させてから、ボルト孔３７及びボルト用孔４１を貫通するように固定ボルト４３を差し込むことにより、移動させた移動底面部材１１を固定することができる。ボルト孔３７、ボルト用孔４１及び固定ボルト４３は固定手段を構成する。なお、例えばＬ字コーナーを有するプレキャストコンクリート基礎ブロックを製造する場合には、移動底面部材をガイド部材９の端部付近に取り付けることとなるが、この場合に用いる移動底面部材４５は、基端部４７の内側の側端のみが固定底面プレート１９側に向かって広がるように形成されているものである。
【００１９】
側壁体１３は、固定底面側の固定用側壁体４９と、移動底面側の移動用側壁体５１と、から構成され、固定用側壁体４９は、固定底面部材７の移動底面側、すなわち移動底面部材１１が設けられた側の長さ方向両端部に取り付けられた、ほぼ２５０ｍｍの長さを有する端部の壁体５３、５３と、この端部の壁体５３、５３の間で固定底面部材７の移動底面側に取り付けられた、ほぼ４５５ｍｍの長さ及び端部の壁体５３とほぼ等しい高さを有する複数枚の中間の壁体５５と、固定底面プレート１９の長さ方向両端部上に設けられ、かつ、固定底面プレート１９上を移動可能に構成された固定側端部形成壁部材５７、５９（固定側端部形成壁部材５７と固定側端部形成壁部材５９とは左右対称形状）と、を備えていて、移動用側壁体５１は、移動底面部材１１の幅方向両側に、ほぼ全長にわたって取り付けられた、Ｌ字コーナーを有して屈曲部６１、６３がそれぞれ形成された壁体部材６５、６７（壁体部材６５と壁体部材６７は左右対称形状）と、移動底面プレート２５の先端部上に設けられ、かつ、移動底面プレート２５上を移動可能に構成された移動側端部形成壁部材６９と、を備えている（図１では、固定側端部形成壁部材５７、５９は固定前の状態で示されている）。端部の壁体５３と中間の壁体５５との間及び中間の壁体５５同士の間には隙間が生じないように構成され、また、固定側端部形成壁部材５７あるいは固定側端部形成壁部材５９と仕切り板３及び中間の壁体５５あるいは端部の壁体５３との間、及び移動側端部形成壁部材６９と壁体部材６５、６７との間にも隙間が生じないように構成されている。中間の壁体５５は、移動底面部材１１に設けられた壁体部材６５の屈曲部６１の側端位置から、壁体部材６７の屈曲部６３の側端位置までの間には配置されていないが、壁体部材６５の屈曲部６１の側端と中間の壁体５５の側端との間、及び壁体部材６７の屈曲部６３の側端と中間の壁体５５の側端との間には隙間が生じないように構成されている。ただし、壁体部材として、側端に接触傾斜面が形成された、屈曲部を有しない平板状のもの（符号７１参照）を用い、この壁体部材７１と隙間なく組み合わされる壁体として、側端に、壁体部材７１の接触傾斜面と隙間なく接触する接触傾斜面が形成されたもの（符号７３参照）を用いることができる。また、移動底面部材（例えば符号４５参照）が固定底面プレート１９の端部に位置するときは、端部形成壁部材に相当する屈曲部８１が一体的に形成された壁体部材８３を移動底面部材の外側の側端に取り付けてもよい。さらに、端部の壁体５３の上面、中間の壁体５５の上面、さらには、壁体部材６５の屈曲部６１上面から壁体部材６７の屈曲部６３上面にかけては、断面Ｌ字形の幅を狭める幅規制部材７５、７７、７９がそれぞれ取り付けられ、幅規制部材７５、７７、７９は、同一の高さに位置している。なお、符号８５は、移動側端部形成壁部材６９を固定するための固定用壁部材であり、壁体部材６５の上面に取り付けられている。
【００２０】
壁体５３、５５、７３及び壁体部材６５、６７、７１、８３は、移動底面部材１１の固定位置等に応じて適当に組み合わされ、あるいは配列されて側壁体１３を構成する。壁体５３、５５、７３及び壁体部材６５、６７、７１、８３にはそれぞれ、下側位置に差込み孔８７が形成されていて、壁体５３、５５、７３及び壁体部材６５、６７、７１、８３は、差込み孔８７に接合具８９を差し込むことにより、固定底面部材７あるいは移動底面部材１１、４５に取り付けられる。
【００２１】
接合具８９は、２枚のプレート部材９１、９１をスペーサ９３を介して連結することにより形成された差込み部材９５と、一方側の側端部の高さ方向ほぼ中央にストッパ段部９７を有してプレート状に形成された一方の係合片９９と、長方形に近い五角形のプレート状に形成されたくさび状の他方の係合片１０１と、から構成されている（図３参照：図３は接合具８９の分解斜視図）。差込み部材９５の長さ方向両側には、係合片９９、１０１をそれぞれ差し込むための差込スペース１０３、１０５が、スペーサ９３間に形成され、差込スペース１０５を形成しているスペーサ９３、９３のうちの外端側に位置するスペーサ９３の内面は、くさび状の係合片１０１の先細り傾斜面１０７に対応して、下方に向かい内側に傾斜している（図示せず）。ここで、例えば壁体５５を固定底面部材７に取り付けるには、まず、差込み部材９５を、仕切り板３の両側に配置された壁体５５の差込み孔８７に差し込み（固定底面部材７の固定本体１５及び仕切り板３には差込み部材９５を通すための貫通孔が形成されている）、差込スペース１０３、１０５がそれぞれ、壁体５５の外側に位置するように、壁体５５の差込み孔８７から差込み部材９５の端部をそれぞれ突出させる。そして、ストッパ段部９７が、外端側のスペーサ９３の上面に当接するように、係合片９９を上側から差込スペース１０３に差し込む。その後、係合片１０１を、上側から差込スペース１０５にきつく差し込むと、壁体５５、５５は、固定底面部材７に固定して取り付けられることとなる。壁体５３、７３及び壁体部材６５、６７、７１、８３も同様に取り付けることができるが、移動底面部材１１との取付け用に用いられる接合具は、差込み部材が短く形成されている。
【００２２】
図４は型枠装置１に設けられた固定側端部形成壁部材５７を示す斜視図、図５は型枠装置１に設けられた移動側端部形成壁部材６９を示す斜視図である。
【００２３】
固定側端部形成壁部材５７及び移動側端部形成壁部材６９は、型枠装置１により製造されたプレキャストコンクリート基礎ブロック同士を接続できるように、プレキャストコンクリート基礎ブロックに接続端部を形成するように構成されている。一般的には、建物の外壁部に沿って位置するプレキャストコンクリート基礎ブロックの接続端部は、固定側端部形成壁部材５７（あるいは固定側端部形成壁部材５７と左右対称の部材：固定側端部形成壁部材５９）を用いて形成し、建物の内壁部に沿って位置するプレキャストコンクリート基礎ブロックの接続端部は、移動側端部形成壁部材６９を用いて形成する。
【００２４】
固定側端部形成壁部材５７は、幅が固定底面プレート１９の幅とほぼ等しい１５０ｍｍ、長さがほぼ２５０ｍｍ及び高さがほぼ５９０ｍｍの、裏面開口箱型に形成され、表面（コンクリート接触面）１０９の幅方向中央から仕切り板３側の側面１１１の長さ方向中央手前にかけて凹部１１３を有していて、壁体５３、５５側の側面１１５の上側には、幅規制部材７５、７７を収容する収容凹部１１７が形成されている。また、側面（側面部）１１１の上側には、ボルト孔１１９が上下に並んで２つ形成されていて、４５５ｍｍピッチで仕切り板３に形成されたボルト用孔（図示せず）と、仕切り板３を挟んで両側に配置された固定側端部形成壁部材５７、５９のボルト孔１１９との位置を一致させて、このボルト用孔及びボルト孔１１９にボルトを通し、このボルトにナットを嵌め付けることによって、固定側端部形成壁部材５７、５９を仕切り板３に固定できる（図２参照）。さらに、固定側端部形成壁部材５７は、固定底面部に固定するためのボルト孔１２１を底面又は底面部に備えている。そして、表面（表面部）１０９の下側には、高さ方向に２つ並んで形成された貫通孔１２３、１２３を有するボルト保持部１２５が形成されている。プレキャストコンクリート基礎ブロックの接続端部を形成するときは、固定側端部形成壁部材５７の表面１０９側からボルト保持部１２５の貫通孔１２３、１２３にそれぞれ、接続ボルト１２７、１２７を挿入して、裏面からナット１２９で接続ボルト１２７をボルト保持部１２５に固定する。そして、型枠装置１にコンクリートを流し込み、コンクリートを硬化させてからナット１２９を接続ボルト１２７から外すことにより、先端部が突出した状態でプレキャストコンクリート基礎ブロックの側端部に埋設固定された接続ボルト１２７を有する接続端部を形成することができる。
【００２５】
移動側端部形成壁部材６９は、長さ約２５０ｍｍ、幅約１５０ｍｍ及び高さ約４９０ｍｍの裏面開口箱型に形成され、固定側端部形成壁部材５７のボルト保持部１２５と同一機能を有する、貫通孔１２３に挿入されてナット１２９で固定された接続ボルト１２７を具備するボルト保持部１３１を表面又は表面部下側に備えているが、ここでは貫通孔１２３は幅方向に並んで２つ形成されている。移動側端部形成壁部材６９は、固定用壁部材８５側の側面（側面部）１３３に形成された上下２つのボルト孔１３５、１３５と、４５５ｍｍピッチで固定用壁部材８５に形成された上下２つのボルト用孔１３７との位置を一致させて、このボルト孔１３５及びボルト用孔１３７にボルトを通し、このボルトにナットを嵌め付けることによって、固定用壁部材８５に固定できる（図２も参照）。移動側端部形成壁部材６９も、移動底面部に固定するためのボルト孔１２１を底面又は底面部に備えている。
【００２６】
図６は固定底面部材７を示すための部分拡大斜視図、図７は固定底面部材７を示すための断面図である。
【００２７】
固定底面部材７の固定底面部には、固定側端部形成壁部材５７、５９のボルト孔１２１とほぼ等しい大きさの貫通孔１３９が、長さ方向に約４５５ｍｍピッチで形成され、それぞれの貫通孔１３９には、半球状の頭部を有する密封用ピン１４１が差し込まれている。そして、固定側端部形成壁部材５７、５９を、固定底面部に固定するときは、所定の位置の密封用ピン１４１を貫通孔１３９から取り外し、ボルト孔１２１と、密封用ピン１４１が取り外された貫通孔１３９との位置が一致するように、固定側端部形成壁部材５７、５９を固定底面部上に位置させ、ボルト孔１２１及び貫通孔１３９にボルトを通し、このボルトにナットを嵌め付ける。
【００２８】
また、固定底面部材７の固定底面プレート１９には、ほぼ正方形の上側貫通孔１４３が、長さ方向に約４５５ｍｍピッチで形成され、固定底面部材７の固定本体１５の上側プレート部１７には、上側貫通孔１４３よりも一回り小さい、ほぼ正方形の下側貫通孔１４５が、上側貫通孔１４３と同位置に形成されている。すなわち、上側貫通孔１４３と下側貫通孔１４５とが固定用貫通孔を構成している。それぞれの上側貫通孔１４３には、上側貫通孔１４３とほぼ等しい大きさ・形状を有し、アンカーボルトを通過させて位置決めするためのアンカーボルト孔１４７が形成された位置決めプレート片１４９が嵌め込まれている。さらに、それぞれの下側貫通孔１４５の下側には、アンカーボルトの突出長さを規制するための長さ調整部材１５１が固定本体１５に取り付けられて配置されている。
【００２９】
アンカーボルト孔１４７は、位置決めプレート片１４９に、中心（重心）から一辺方向にやや偏心して形成されている。このため、位置決めプレート片１４９を、上側貫通孔１４３から取り外し、１８０度回転させた状態で再び上側貫通孔１４３あるいは固定用貫通孔に嵌め込むことにより、アンカーボルト孔１４７の位置を、仕切り板３側から移動底面側に、あるいは、移動底面側から仕切り板３側に変更することができる。
【００３０】
長さ調整部材１５１は、断面細長いＵ字型に形成されていて、ボルト及びナットによって、固定本体１５の下側プレート部に固定されている。長さ調整部材１５１の上端は、固定本体１５の上側プレート部１７に接近して位置していて、長さ調整部材１５１の上端部には、柔軟なゴム材１５３が保持されている。また、長さ調整部材１５１の両側面部には、ゴム材１５３を保持する部分の下側に、高さ調整孔１５５、１５５が対応して設けられていて、この高さ調整孔１５５は上下方向に並んで６つ又は６組形成されている。
【００３１】
プレキャストコンクリート基礎ブロックにアンカーボルトを立設するときは、まず、決められたアンカーボルトの立設位置に、アンカーボルト孔１４７が設けられるように、位置決めプレート片１４９を、上側貫通孔１４３又は固定用貫通孔に嵌め込む。さらに、決められたアンカーボルトの突出長さに合わせてＬ字状のストッパ部材１５７を高さ調整孔１５５、１５５に差し込む。その後、上側からアンカーボルト１５９をアンカーボルト孔１４７に挿入し、ゴム材１５３を貫通させて、アンカーボルト１５９の先端をストッパ部材１５７に当接させる。これでアンカーボルト１５９は固定状態に保持されるので、あとはコンクリートを型枠装置１に流し込んで硬化させれば、アンカーボルト１５９が立設されたプレキャストコンクリート基礎ブロックが製造されることとなる。移動底面部材１１の移動底面部の構造も、固定底面部材７の固定底面部の構造とほぼ同一であるが、移動底面部の下側に配置された長さ調整部材は、長さ調整部材１５１よりも低く構成されている。
【００３２】
このような構成の型枠装置１を用いれば、例えばＴ字型状のプレキャストコンクリート基礎ブロックを２つ同時に製造することができ、また、それぞれプレキャストコンクリート基礎ブロックの形状、大きさ（長さ）及びアンカーボルトの立設位置も、様々に変更して製造することができる。すなわち、例えば、壁体５３や５５を取り外し、移動底面部材１１をスライド移動させ、再び壁体５３や５５を取り付けることにより、枠体形状を変更することができる。さらに、コンクリート充填時の型枠の変形を効果的に防止できる。
【００３３】
図８は本発明に係る別の構成のプレキャストコンクリート基礎ブロックの型枠装置を示す斜視図である。
【００３４】
別の構成の型枠装置１６１は、型枠装置１の構造を変更することにより構成されているものであり、固定底面部材７と、この固定底面部材７の長さ方向一端部付近から他端部付近まで延びるように、固定底面部材７と幅方向に間隔を設けて平行に、かつ、固定底面部材７の幅方向両側に配置された、固定底面部材７とほぼ等しい長さを有するガイド部材９、９と、固定底面部材７と直交する方向に延び、それぞれのガイド部材９上をスライドして固定底面部材７に沿って移動できるように取り付けられた、固定底面部材７の両側に設けられている移動底面部材１１、１１と、固定底面部材７及び移動底面部材１１、１１に、取外し可能に取り付けられた側壁体１３（側壁部：図８では手前側には側壁体１３は取り付けられていない）と、を備えて構成されている。側壁体１３の内の接続端部形成壁部材にはすべて、部材６９（左右対称形状のものを含む）が用いられている。ここでも、例えば、壁体５３や５５を取り外し、移動底面部材１１をスライド移動させ、再び壁体５３や５５を取り付けることにより、枠体形状を変更することができる。型枠装置１６１は、例えば、十字型状のプレキャストコンクリート基礎ブロックを製造するときに用いることができる。
【００３５】
図９は固定底面部材の変更例を示す斜視図である。
【００３６】
固定底面部材１６３はＬ字型に形成され、一辺部に対してのみ移動底面部材１６５が設けられている。固定底面部材１６３のＬ字コーナー部には、取付け突出部１６７が形成されていて、この取付け突出部１６７には、例えば、固定側端部壁部材５７が固定される。このような固定底面部材１６３を用いることにより、より複雑な形状のプレキャストコンクリート基礎ブロックを製造できる。ここでは、位置決めプレート片１４９に形成されたアンカーボルト孔１４７は、位置決めプレート片１４９の角部付近に位置しているので、位置決めプレート片１４９を１８０度回転させた状態で上側貫通孔１４３あるいは固定用貫通孔に嵌め込むと、アンカーボルト孔１４７は、固定用貫通孔の対向角部に変位する（図１０参照：図１０は変更例に係る固定底面部材１６３の部分拡大斜視図）。なお、固定底面部材１６３及び移動底面部材１６５の基本的な構造は、固定底面部材７及び移動底面部材１１と同一である。
【００３７】
図１１は型枠装置１を用いて製造されたプレキャストコンクリート基礎ブロックを示す斜視図である。
【００３８】
プレキャストコンクリート基礎ブロック１６９は、内部に配筋され、かつ、適当な長さだけ突出する鉄筋（図示せず）を有していて、高さ約４５０ｍｍのＴ字型のプレキャストコンクリート体１７１と、このプレキャストコンクリート体１７１の上面から突出するように、長さ方向に間隔を設けて埋め込まれた複数のアンカーボルト１５９と、プレキャストコンクリート体１７１の底面の３つの端部個所からそれぞれ突出するように埋設固定された３つのナット部材１７３と、それぞれのナット部材１７３にねじ込まれて取り付けられた高さ調整用のアジャストボルト１７５と、を備えている。プレキャストコンクリート体１７１の接続端部１７９、１８１には、接続ボルト１２７が高さ方向に並んで２つ突出するように埋設固定され、接続端部１８３には、接続ボルト１２７が幅方向に並んで２つ突出するように埋設固定されている。
【００３９】
図１２はナット部材１７３及びアジャストボルト１７５の構成を示す斜視図である。
【００４０】
アジャストボルト１７５がねじ込まれて取り付けられているナット部材１７３は、断面六角形状の長尺ナット１８５と、この長尺ナット１８５が端部に溶接して固定されているアングル部材１８７と、から構成され、アングル部材１８７には、長尺ナット１８５に隣接するようにボルト孔１８９が、高さ方向に並んで２つ形成されている。アジャストボルト１７５は、長尺ナット１８５にねじ込み量を調整することができるようにねじ込まれている。
【００４１】
型枠装置１へのコンクリート充填時には、スペーサ具１９１を介して、型枠装置１の仕切り板３に、両側から、ナット部材１７３をボルトとナットで固定しておく（図１３参照：図１３はナット部材１７３をプレキャストコンクリート体１７１に埋設固定する方法を説明する図）。スペーサ具１９１には、仕切り板３側の側面部１９３及びナット部材１７３側の側面部１９５にそれぞれ、ボルト用孔１９７が対応して形成され、かつ、このボルト用孔１９７は高さ方向に複数設けられていて、１本のボルトを、ナット部材１７３のボルト孔１８９、側面部１９５及び側面部１９３のボルト用孔１９７、仕切り板３のボルト用孔１９８に通すことにより、ナット部材１７３を固定してもよいが、側面部１９３のボルト用孔１９７及び仕切り板３のボルト用孔１９８にボルトを通してスペーサ具１９１を仕切り板３に固定し、かつ、ナット部材１７３のボルト孔１８９及び側面部１９５のボルト用孔１９７に別のボルトを通してスペーサ具１９１にナット部材１７３を固定してもよい。ナット部材１７３を固定してから、型枠装置１にコンクリートを高さ約４５０ｍｍすなわち壁体５３、５５の上端位置まで流し込んで硬化させることにより、ナット部材１７３がプレキャストコンクリート体１７１に埋設固定される。なお、移動底面部材１１側へのナット部材１７３の配置は、スペーサ具１９１を固定用壁部材８５に取り付けることにより行われる。
【００４２】
アジャストボルト１７５は、頭部１９９が断面六角形状に形成され、頭部１９９をスパナ等で回すことにより、ナット部材１７３へのねじ込み量が変化し、上下方向に移動する。頭部１９９の先端部は、ジョイント部２０１となっていて、ジョイント部２０１は、先端に向かって約４５度の角度でテーパー状に縮径しているが、先端は丸みを帯びて形成されている。
【００４３】
図１４はプレキャストコンクリート基礎ブロック１６９を用いた基礎工法を説明する断面図、図１５はプレキャストコンクリート基礎ブロック１６９の配置方法を説明するための斜視図である。
【００４４】
プレキャストコンクリート基礎ブロック１６９を用いた基礎工法では、まず、地盤Ａを所定の深さまで掘削する根切り工程が行われる。次に、掘削した部分に石や砂利Ｂを入れて付き固める地業工程が行われ、その上に捨コンクリートＣを打設する打設工程が行われる。その後、捨コンクリートＣ上にプレキャストコンクリート基礎ブロック１６９を配置する配置工程が行われ、プレキャストコンクリート基礎ブロック１６９の下部が埋設されるようにコンクリートＤを打設する逆打ち工程が行われる。
【００４５】
捨コンクリートＣ上にプレキャストコンクリート基礎ブロック１６９を配置する配置工程は、次のように行われる。捨コンクリートＣを打設した後、捨コンクリートＣが固まらない間に、下側土台板２０３を捨コンクリートＣ上に固定する。下側土台板２０３は、正方形状の鉄製プレート片であって、それぞれの角部に釘孔２０５が形成されているので、下側土台板２０３を捨コンクリートＣ上に配置し、それぞれの釘孔２０５にコンクリート用釘２０７を打ち込むことによって、下側土台板２０３は捨コンクリートＣ上に固定される。次に、それぞれの角部にコンクリート用釘２０７の頭部とほぼ等しい大きさの釘孔２０８が形成された、下側土台板２０３とほぼ同形状の上側土台板２０９を下側土台板２０３の上に接着剤で接着する。下側土台板２０３及び上側土台板２０９の中央には、アジャストボルト１７５のジョイント部２０１の根元部よりもやや小径の嵌付孔２１１、２１３がそれぞれ形成されているので、捨コンクリートＣが固まった後、アジャストボルト１７５のジョイント部２０１を、上側土台板２０９の嵌付け孔２１３（及び下側土台板２０３の嵌付け孔２１１）に嵌め込んで係合させることによって、プレキャストコンクリート基礎ブロック１６９が捨コンクリートＣ上に位置決めされて配置されることとなる。プレキャストコンクリート基礎ブロック１６９の水平及び高さを調整するときは、アジャストボルト１７５を回転させる。なお、プレキャストコンクリート基礎ブロック１６９からは鉄筋２１５が外側に延びていて、コンクリートＤを打設する前に、この鉄筋２１５に組付け鉄筋２１７を組み付ける。
【００４６】
このような構成によって、ここでの基礎工法は、捨コンクリートＣの外にはコンクリートＤを打設するだけでよいので、工期の短縮を図ることが可能となる。
【００４７】
図１６はプレキャストコンクリート基礎ブロック１６９同士の接続方法を示す平面図である。
【００４８】
例えば、建物の外壁部に沿って配置されたプレキャストコンクリート基礎ブロック１６９同士を接続するときは、一方のプレキャストコンクリート基礎ブロック１６９の接続端部１７９に埋設固定された接続ボルト１２７、１２７と、他方のプレキャストコンクリート基礎ブロック１６９の接続端部１８１に埋設固定された接続ボルト１２７、１２７とを、継手ボルト２１８の両端に設けられた六角ナット２１９、２１９にそれぞれ相対的にねじ込むことにより連結する。このとき、下側に位置する継手ボルト２１８を、ボルト穴２２１を有するプレート部２２３と、このプレート部２２３に溶接されて固定されたねじ部２２５と、から構成される連結部材２２７のボルト穴２２１に通しておく。この連結部材２２７のねじ部２２５に、プラスチック製のピーコン２２９をねじ込み、このピーコン２２９に設けられた接続ボルト部２３１を、ハの字状の鉄板２３３のボルト孔２３５に通し、この鉄板２３３の両端部がそれぞれ、プレキャストコンクリート基礎ブロック１６９、１６９に当接するように、接続ボルト部２３１にナット２３７を締め付け、鉄板２３３を押圧する。また、プレキャストコンクリート基礎ブロック１６９同士の僅かな隙間開口をプラスチック製の目地棒２３９によって塞いでおく。その後、鉄板２３３と目地棒２３９によって塞がれた空間内にモルタル等のコンクリートを流し込んで硬化させる。このような接続構造によって、せん断力に対する強度が非常に高くなる。また、建物の内壁部に沿ったプレキャストコンクリート基礎ブロック１６９の、例えば接続端部１８３同士の接続は、それぞれの接続端部１８３の接続ボルト１２７を、継手ボルト２１８の両端に設けられた六角ナット２１９、２１９にそれぞれ相対的にねじ込むことにより連結し、プレキャストコンクリート基礎ブロック１６９同士の隙間開口を塞いで、その空間内にモルタル等のコンクリートを流し込んで硬化させることにより行われる。
【００４９】
【発明の効果】
以上説明したように、本発明のプレキャストコンクリート基礎ブロックの型枠装置を用いれば、様々な形状のプレキャストコンクリート基礎ブロックを簡単に製造することが可能となる。また、本発明のプレキャストコンクリート基礎ブロックを用いた基礎工法では、工期の短縮が図られる。
【図面の簡単な説明】
【図１】
本発明に係るプレキャストコンクリート基礎ブロックの型枠装置を示す斜視図である。
【図２】
本発明に係るプレキャストコンクリート基礎ブロックの型枠装置を示す正面図である。
【図３】
接合具の分解斜視図である。
【図４】
型枠装置に設けられた固定側端部形成壁部材を示す斜視図である。
【図５】
型枠装置に設けられた移動側端部形成壁部材を示す斜視図である。
【図６】
固定底面部材を示すための部分拡大斜視図である。
【図７】固定底面部材を示すための断面図である。
【図８】本発明に係る別の構成のプレキャストコンクリート基礎ブロックの型枠装置を示す斜視図である。
【図９】固定底面部材の変更例を示す斜視図である。
【図１０】変更例に係る固定底面部材の部分拡大斜視図である。
【図１１】型枠装置を用いて製造されたプレキャストコンクリート基礎ブロックを示す斜視図である。
【図１２】ナット部材及びアジャストボルトの構成を示す斜視図である。
【図１３】ナット部材をプレキャストコンクリート体に埋設固定する方法を説明する図である。
【図１４】プレキャストコンクリート基礎ブロックを用いた基礎工法を説明する断面図である。
【図１５】プレキャストコンクリート基礎ブロックの配置方法を説明するための斜視図である。
【図１６】プレキャストコンクリート基礎ブロック同士の接続方法を示す平面図である。
【符号の説明】
１、１６１　　　　　　　プレキャストコンクリート基礎ブロックの型枠装置
３　　　　　　　　　　　仕切り板
７、１６３　　　　　　　固定底面部材
１１、１６５　　　　　　移動底面部材
１３　　　　　　　　　　側壁体（側壁部）
１６９　　　　　　　　　プレキャストコンクリート基礎ブロック
【図１】
2004017645.tif 000003
【図２】
2004017645.tif 000004
【図３】
2004017645.tif 000005
【図４】
2004017645.tif 000006
【図５】
2004017645.tif 000007
【図６】
2004017645.tif 000008
【図７】
2004017645.tif 000009
【図８】
2004017645.tif 000010
【図９】
2004017645.tif 000011
【図１０】
2004017645.tif 000012
【図１１】
2004017645.tif 000013
【図１２】
2004017645.tif 000014
【図１３】
2004017645.tif 000015
【図１４】
2004017645.tif 000016
【図１５】
2004017645.tif 000017
【図１６】
2004017645.tif 000018